(57)【特許請求の範囲】
【請求項１】
所定面に形成された物体像を観察するための接眼レンズであって、該接眼レンズの最も観察側には、樹脂材料よりなる複数のレンズを接合した接合レンズが配置され、前記接合レンズを構成するレンズの中で中心肉厚が最も厚いレンズの中心厚をｔ１、前記接合レンズを構成するレンズの中で中心肉厚が最も厚いレンズの材料の吸水率をＡ、前記接合レンズを構成するレンズの中で最も観察側に配置されたレンズの中心厚をｔ２、前記接合レンズを構成するレンズの中で最も観察側に配置されたレンズの材料の吸水率をＢとするとき、
１＜Ｂ／Ａ＜３５
２≦ｔ１／ｔ２＜２０
なる条件式を満足することを特徴とする接眼レンズ。
【請求項２】
前記接合レンズの接合面のうち、最も観察側の接合面の曲率半径をＲａ、前記接合レンズの最も観察側のレンズ面の曲率半径をＲｂとするとき、
０．９＜Ｒａ／Ｒｂ＜１．１
なる条件式を満足することを特徴とする請求項１に記載の接眼レンズ。
【請求項３】
前記接眼レンズは、前記所定面側から観察側へ順に、負の屈折力の第１レンズ群、正の屈折力の第２レンズ群、前記接合レンズを含む負の屈折力の第３レンズ群よりなり、視度調節に際して隣り合うレンズ群の間隔が変化し、
前記第２レンズ群を光軸方向に移動させることにより視度調節が行われることを特徴とする請求項１または２に記載の接眼レンズ。
【請求項４】
前記接眼レンズは、前記所定面側から観察側へ順に、正の屈折力の第１レンズ群、前記接合レンズを含む正の屈折力の第２レンズ群よりなり、視度調節に際して隣り合うレンズ群の間隔が変化し、
前記第１レンズ群を光軸方向に移動させることにより視度調節が行われることを特徴とする請求項１または２に記載の接眼レンズ。
【請求項５】
前記所定面に形成された物体像を正立像とする正立像形成部材と、請求項１乃至４のいずれか１項に記載の接眼レンズを有することを特徴とするファインダー光学系。 
【請求項６】
請求項５に記載のファインダー光学系と、該ファインダー光学系で表示される被写体像に相当する像を受光する撮像手段と、を有することを特徴とする撮像装置。
【発明の詳細な説明】
【技術分野】
【０００１】
本発明は撮影レンズで所定面上に形成された物体像を観察するのに好適な接眼レンズ及びそれを有するファインダー光学系に関し、特に一眼レフカメラ等のファインダー光学系に好適なものである。
【背景技術】
【０００２】
従来より撮影レンズによって所定面上に形成された物体像を拡大観察するのに接眼レンズが多く用いられている。接眼レンズを有するファインダー光学系として、一眼レフカメラでは撮影レンズによって焦点板上に形成した被写体像（ファインダー像）をファインダー光学系を介して観察している。このファインダー光学系は、焦点板上に形成された被写体像をペンタダハミラーやペンタダハプリズム等の正立像形成部材を介して正立像とした後、接眼レンズによって拡大して観察するように構成されている。
【０００３】
一眼レフカメラのファインダー光学系において大きな観察倍率が得られる構成の接眼レンズが提案されている（特許文献１、２）。特許文献１の接眼レンズは、所定面（焦点板）側から観察側へ順に、所定面側に凸面を向けたメニスカス形状の負レンズ、正レンズ、所定面側に凸面を向けたメニスカス形状の負レンズより構成されている。また、特許文献２の接眼レンズは所定面側から観察側へ順に、所定面側に凹面を向けたメニスカス形状の負レンズ、正レンズ、正レンズ、観察側に凹面を向けた負レンズより構成されている。
【先行技術文献】
【特許文献】
【０００４】
【特許文献１】特開２００１−３１１８８１号公報
【特許文献２】特開２０００−１１１８１０号公報
【発明の概要】
【発明が解決しようとする課題】
【０００５】
一般に物体像を拡大して観察する接眼レンズは、種々な環境下で使用される。例えば、高温多湿や低温低湿等の種々の環境下で使用される。このため、接眼レンズを構成するレンズの材料の吸水率が高いと、使用する環境が変化したときレンズが吸水して光学性能が大きく変化してくることがある。接眼レンズを構成するレンズの材料に樹脂材料を用いると、レンズの加工が容易となり、また非球面加工も容易になるという利点がある。
【０００６】
しかしながら一般に樹脂材料は吸水率が高いものが多い。このため接眼レンズを構成するレンズの材料に樹脂材料を用いるときには環境変化があっても光学性能の変化が少なくなるような材料を選択することが重要になってくる。
【０００７】
特許文献１に開示されたファインダー光学系では、最も観察側のレンズの材料をアクリル樹脂もしくはポリカーボネート樹脂で構成している。アクリル樹脂を使用した場合、アクリル樹脂は吸水率が高いため経時変化によりレンズ面形状や屈折率が変化し、特に中心厚の厚いレンズではこの変化が長時間にわたって生じるため、ファインダー像の見えが悪くなってくる。その一方で、レンズの中心厚を薄くすると観察倍率が低下してくる。また、ポリカーボネート樹脂を使用した場合、吸水率はアクリル樹脂より低いため、レンズ面形状や屈折率の変化は少ないが、硬度が不十分なため傷が入りやすいといった問題がある。
【０００８】
特許文献２に開示された一眼レフカメラの接眼レンズでは、接眼レンズを４つのレンズより構成することで、レンズの中心厚が厚くならないようにしている。この結果、吸水による光学性能の劣化が少ない。しかしながら接眼レンズのレンズ枚数が多いため、メカ構成が複雑化し、また透過率が低下する傾向がある。
【０００９】
本発明は、種々な環境下で使用したときレンズが吸水してファインダー像の観察が劣化するのを軽減し、良好なるファインダー像の観察ができる接眼レンズ及びそれを有するファインダー光学系の提供を目的とする。
【課題を解決するための手段】
【００１０】
本発明の接眼レンズは、所定面に形成された物体像を観察するための接眼レンズであって、該接眼レンズの最も観察側には、樹脂材料よりなる複数のレンズを接合した接合レンズが配置され、
前記接合レンズを構成するレンズの中で中心肉厚が最も厚いレンズの中心厚をｔ１、前記接合レンズを構成するレンズの中で中心肉厚が最も厚いレンズの材料の吸水率をＡ、前記接合レンズを構成するレンズの中で最も観察側に配置されたレンズの中心厚をｔ２、前記接合レンズを構成するレンズの中で最も観察側に配置されたレンズの材料の吸水率をＢとするとき、
１＜Ｂ／Ａ＜３５
２≦ｔ１／ｔ２＜２０
なる条件式を満足することを特徴としている。
【発明の効果】
【００１１】
本発明によれば、種々な環境下で使用したときレンズが吸水してファインダー像の観察が劣化するのを軽減し、良好なるファインダー像の観察ができる接眼レンズが得られる。
【図面の簡単な説明】
【００１２】
【図１】本発明の接眼レンズを有するファインダー光学系を一眼レフカメラに適用したときの要部断面図
【図２】本発明の数値実施例１のレンズ断面図
【図３】（Ａ）、（Ｂ）、（Ｃ）  本発明の数値実施例１の収差図
【図４】本発明の数値実施例２のレンズ断面図
【図５】（Ａ）、（Ｂ）、（Ｃ）  本発明の数値実施例２の収差図
【図６】本発明の数値実施例３のレンズ断面図
【図７】（Ａ）、（Ｂ）、（Ｃ）  本発明の数値実施例３の収差図
【図８】本発明の数値実施例４のレンズ断面図
【図９】（Ａ）、（Ｂ）、（Ｃ）  本発明の数値実施例４の収差図
【図１０】本発明の数値実施例５のレンズ断面図
【図１１】（Ａ）、（Ｂ）、（Ｃ）  本発明の数値実施例５の収差図
【発明を実施するための形態】
【００１３】
以下に、本発明の好ましい実施の形態を、添付の図面に基づいて詳細に説明する。本発明の接眼レンズは、所定面に形成された物体像を観察するための接眼レンズである。接眼レンズの最も観察側には樹脂材料よりなる複数のレンズを接合した接合レンズが配置されている。接眼レンズは、物体像が形成される所定面側から観察側へ順に、負の屈折力の第１レンズ群、正の屈折力の第２レンズ群、樹脂材料よりなる複数のレンズを接合した接合レンズを含む負の屈折力の第３レンズ群よりなっている。
【００１４】
又は接眼レンズは、物体像が形成される所定面側から観察側へ順に、正の屈折力の第１レンズ群、樹脂材料よりなる複数のレンズを接合した接合レンズを含む負の屈折力の第２レンズ群よりなっている。
【００１５】
図１は本発明の接眼レンズを有するファインダー光学系を撮像装置としてデジタル一眼レフカメラに適用したときの要部断面図である。図２は本発明の接眼光学系の実施例１のレンズ断面図である。図３（Ａ）、（Ｂ）、（Ｃ）は本発明の接眼光学系の実施例１におけるファインダー視度が−１ディオプトリー（標準視度）、−３ディオプトリー、＋１ディオプトリーのときの収差図である。
【００１６】
図４は本発明の接眼光学系の実施例２のレンズ断面図である。図５（Ａ）、（Ｂ）、（Ｃ）は本発明の接眼光学系の実施例２におけるファインダー視度が−１ディオプトリー（標準視度）、−３ディオプトリー、＋１ディオプトリーのときの収差図である。図６は本発明の接眼光学系の実施例３のレンズ断面図である。図７（Ａ）、（Ｂ）、（Ｃ）は本発明の接眼光学系の実施例３におけるファインダー視度が−１ディオプトリー（標準視度）、−３ディオプトリー、＋１ディオプトリーのときの収差図である。
【００１７】
図８は本発明の接眼光学系の実施例４のレンズ断面図である。図９（Ａ）、（Ｂ）、（Ｃ）は本発明の接眼光学系の実施例４におけるファインダー視度が−１ディオプトリー（標準視度）、−３ディオプトリー、＋１ディオプトリーのときの収差図である。図１０は本発明の接眼光学系の実施例５のレンズ断面図である。図１１（Ａ）、（Ｂ）、（Ｃ）は本発明の接眼光学系の実施例５におけるファインダー視度が−１ディオプトリー（標準視度）、−１．７ディオプトリー、＋０．５ディオプトリーのときの収差図である。
【００１８】
図１とレンズ断面図において、１はカメラ本体（不図示）に固定または着脱可能な撮影レンズである。２はクイックリターンミラー（ＱＲミラー）であり、回転軸２ａを中心に矢印２ｂの如く回動可能となっており、撮影レンズ１からの光束を上方に反射させている。３は焦点板（フレネルレンズ）である。３ａは焦点板３のマット面であり、その面上には撮影レンズ１によって被写体像（ファインダー像）が形成されている。
【００１９】
４は正立像形成部材としてのペンタダハミラーであり、マット面３ａ上の被写体像を正立正像としている。４ａはペンタダハミラー４の入射部であり、マット面３ａからの被写体像に関する光束が入射する。４ｂはペンタダハミラー４を構成する屋根型形状の第１の反射鏡であり、マット面３ａ上に形成された被写体像で入射部４ａから入射した光束を被写体像側（物体側）へ反射させている。４ｃは第１の反射鏡４ｂで物体側に反射された光束を観察側方向（アイポイントＩＰ側）に反射させる第２の反射鏡である。
【００２０】
４ｄはペンタダハミラー４の出射部である。尚、正立像形成部材としては、ペンタダハミラーの他にペンタダハプリズムや複数のプリズムより構成されたものでも良い。５は接眼レンズであり、ファインダー光学系の一部を構成している。図２、図４、図６、図８の実施例１乃至４において、接眼レンズ５はペンタダハミラー４側から観察側へ順に、負の屈折力の第１レンズ群Ｌ１、正の屈折力の第２レンズＬ２、負の屈折力の第３レンズ群Ｌ３からなっている。
【００２１】
そして、第２レンズ群Ｌ２を接眼レンズ５（ファインダー光学系）の光軸Ｌａに沿って移動することで隣り合うレンズ群の間隔が変化して視度調節を行っている。ここで各レンズ群は単一レンズ又は複数のレンズより成っている。
【００２２】
図１０の実施例５において接眼レンズ５はペンタダハミラー４側から観察側へ順に、正の屈折力の第１レンズ群Ｌ１、接合レンズを含む負の屈折力の第２レンズ群Ｌ２からなっている。そして第１レンズ群Ｌ１を光軸Ｌａの方向に沿って移動することで隣り合うレンズ群の間隔が変化して視度調節を行っている。６はアイポイントであり、観察者の眼が位置する。接眼レンズ５の最終レンズ面から観察側のアイポイント６までの距離がアイレリーフに相当している。ＩＰは撮影レンズ１の像面であり、ＣＣＤセンサやＣＭＯＳセンサ等の固体撮像素子（撮像手段）の撮像面またはフィルム（撮像手段）等の感光面に相当する。
【００２３】
本実施形態におけるファインダー光学系は撮影レンズ１による被写体像をクイックリターンミラー２で反射させて焦点板３のマット面３ａ上に形成している。そしてマット面３ａに形成したファインダー像をペンタダハミラー４で正立像として接眼レンズ５を介してアイポイント６より観察している。
【００２４】
また撮像手段に像を形成するときはクイックリターンミラー２は矢印２ｂの如く回動して撮影レンズ１からの光束が像面ＩＰに入射するようにしている。そして像面ＩＰに配置された撮像手段によってマット面３ａに形成された被写体像に相当する像（被写体像の一部または全部またはそれよりも大きな部分の像）を光電変換（受光）している。
【００２５】
球面収差図において、実線のｄはｄ線、２点鎖線のｇはｇ線である。非点収差図においてＭはメリディオナル像面、Ｓはサジタル像面である。歪曲収差はｄ線について示している。倍率色収差図においてはｄ線を基準としたｇ線について示している。φは瞳径である。ｈはマット面３ａ側での像高である。
【００２６】
各実施例における接眼レンズ５は最も観察側（アイポイント側６）には樹脂材料よりなる複数のレンズを接合した接合レンズが配置されている。そして接合レンズを構成するレンズの中で中心肉厚が最も厚いレンズの中心厚と、材料の吸水率を各々ｔ１、Ａとする。接合レンズを構成するレンズの中で最も観察側に配置されたレンズの中心厚と材料の吸水率を各々ｔ２、Ｂとする。このとき、
１＜Ｂ／Ａ＜３５        ・・・（１）
２≦ｔ１／ｔ２＜２０    ・・・（２）
なる条件式を満足している。
【００２７】
ここで吸水率とは、ある材料を水に浸して十分水を吸わせたときの吸水量を乾燥物一定量に対する比率で表した数値である。また吸水率の測定はＪＩＳ測定法による。ここで、条件式（１）は接眼レンズの光学性能を考慮しつつ、接合レンズの各レンズの材料の吸水率を規定したものであり、条件式（２）は接合レンズの各レンズの光軸上の厚みの比を規定している。
【００２８】
これらの条件式（１）、（２）は経時変化によるファインダー光学系の光学性能の劣化を低減しつつ、ファインダー倍率の高倍率化を実現するための条件式である。接合レンズを構成する各レンズの体積の半分以上を吸水率の低い材質で構成し、且つ中心厚を厚肉化することで、経時変化によるファインダー光学系の光学性能の劣化を低減しつつ高倍率化を実現している。更に好ましくは条件式（１）、（２）の数値範囲を次の如く設定するのが良い。
【００２９】
１．２＜Ｂ／Ａ＜３２．０        ・・・（１ａ）
３≦ｔ１／ｔ２＜１５            ・・・（２ａ）
以上のように各実施例によれば簡易な構成で経時変化が少なく、外観部品としての強度を保ちながら高倍率の接眼レンズを有するファインダー光学系が得られる。また接合レンズの接合面のうち、最も観察側の接合面の曲率半径をＲａ、接合レンズの最も観察側のレンズ面の曲率半径をＲｂとするとき、
０．９＜Ｒａ／Ｒｂ＜１．１      ・・・（３）
となるようにしている。
【００３０】
即ち、接合レンズの接合レンズ面の形状と接合レンズの最も観察側（アイポイント側）のレンズ面の形状は略同一となるようにしている。接合レンズの接合レンズ面の形状と接合レンズの最も観察側のレンズ面の形状が大きく異なると、射出成形等による製造時に型構造が複雑になるといった点が問題となる。前述した接合レンズの接合レンズ面の形状と接合レンズの最も観察側のレンズ面の形状が略同一という条件式（３）を満足することで、該レンズの製造が容易となる。
【００３１】
［実施例１］
以下、図２を参照して、本発明の実施例１による、ファインダー光学系を構成する接眼レンズ５について説明する。接眼レンズ５は焦点面３側から観察側（アイポイントＩＰ側）へ順に、負の屈折力の第１レンズＧ１よりなる第１レンズ群Ｌ１、正の屈折力の第２レンズＧ２よりなる第２レンズ群Ｌ２、負の屈折力の第３レンズＧ３よりなる第３レンズ群Ｌ３から構成されている。第２レンズＧ２を光軸方向に移動させることにより、視度調節を行っている。第３レンズＧ３はスチレン系樹脂よりなるレンズＧ３ａとアクリル系樹脂よりなるレンズＧ３ｂを接合した接合レンズからなっている。
【００３２】
吸水率の低いスチレン系樹脂よりなるレンズＧａ３を吸水率の高いアクリル系樹脂よりなるレンズＧ３ｂよりも中心厚を厚くすることで、経時変化によるファインダー光学系の光学性能の劣化を低減しつつ、ファインダー倍率の高倍率化を実現している。また、最もアイポイントＩＰ側をアクリル系樹脂よりなるレンズＧ３ｂで形成して、外観部品としての強度を十分に保っている。
【００３３】
［実施例２］
以下、図４を参照して、本発明の実施例２による、ファインダー光学系を構成する接眼レンズ５について説明する。接眼レンズ５は焦点面３側から観察側へ順に、負の屈折力の第１レンズＧ１よりなる第１レンズ群Ｌ１、正の屈折力の第２レンズＧ２よりなる第２レンズ群Ｌ２、負の第３レンズＧ３よりなる第３レンズ群Ｌ３から構成されている。第２レンズＧ２を光軸方向に移動させることにより、視度調節を行っている。第３レンズＧ３はポリカーボネート系樹脂よりなるレンズＧ３ａとアクリル系樹脂よりなるレンズＧ３ｂとを接合した接合レンズからなっている。
【００３４】
吸水率の低いポリカーボネート系樹脂よりなるレンズＧ３ａを吸水率の高いアクリル系樹脂よりなるレンズＧ３ｂよりも中心厚を厚くすることで、経時変化によるファインダー光学系の光学性能の劣化を低減しつつ、ファインダー倍率の高倍率化を実現している。また、最もアイポイントＩＰ側をアクリル系樹脂よりなるレンズＧ３ｂで形成して、外観部品としての強度を十分に保っている。
【００３５】
［実施例３］
以下、図６を参照して、本発明の実施例３による、ファインダー光学系を構成する接眼レンズ５について説明する。接眼レンズ５は焦点面３側から観察側へ順に、負の屈折力の第１レンズＧ１よりなる第１レンズ群Ｌ１、正の屈折力の第２レンズＧ２よりなる第２レンズ群Ｌ２、負の屈折力の第３レンズＧ３からなる第３レンズ群Ｌ３から構成されている。正の第２レンズＧ２を光軸方向に移動させることにより、視度調節を行っている。
【００３６】
第３レンズＧ３はオレフィン系樹脂よりなるレンズＧ３ａとアクリル系樹脂よりなるレンズＧ３ｂを接合した接合レンズよりなっている。吸水率の低いオレフィン系樹脂よりなるレンズＧ３ａを吸水率の高いアクリル系樹脂よりなるレンズＧ３ｂよりも中心厚を厚くすることで、経時変化によるファインダー光学系の光学性能の劣化を低減しつつ、ファインダー倍率の高倍率化を実現している。また、最もアイポイントＩＰ側をアクリル系樹脂よりなるレンズＧ３ｂで形成して、外観部品としての強度を十分に保っている。
【００３７】
［実施例４］
以下、図８を参照して、本発明の実施例４による、ファインダー光学系を構成する接眼レンズ５について説明する。接眼レンズ５は焦点面３側から観察側へ順に、負の屈折力の第１レンズＧ１よりなる第１レンズ群Ｌ１、正の屈折力の第２レンズＧ２よりなる第２レンズ群Ｌ２、負の屈折力の第３レンズＧ３よりなる第３レンズ群Ｌ３から構成されている。第２レンズＧ２を光軸方向に移動させることにより、視度調節を行っている。第３レンズＧ３はアクリル系樹脂より成るレンズＧ３ａとオレフィン系樹脂よりなるレンズＧ３ｂとアクリル系樹脂よりなるレンズＧ３ｃを接合した接合レンズよりなっている。
【００３８】
吸水率の低いオレフィン系樹脂よりなるレンズＧ３ｂを吸水率の高いアクリル系樹脂よりなるレンズＧ３ａ、Ｇ３ｃよりも中心厚を厚くすることで、経時変化によるファインダー光学系の光学性能の劣化を低減しつつ、ファインダー倍率の高倍率化を実現している。また、焦点面３側および最もアイポイントＩＰ側をアクリル系樹脂よりなるレンズＧ３ａ、Ｇ３ｃで形成しているため、外観部品としての強度を十分に保つとともに組立て時等に傷が入りにくく扱いが容易な構成となっている。
【００３９】
［実施例５］
以下、図１０を参照して、本発明の実施例５による、ファインダー光学系を構成する接眼レンズ５について説明する。接眼レンズ５は焦点面３側から観察側へ順に、正の屈折力の第１レンズＧ１よりなる第１レンズ群Ｌ１、正の屈折力の第２レンズＧ２よりなる第２レンズ群Ｌ２から構成されている。第１レンズＧ１を光軸方向に移動させることにより、視度調節を行っている。第２レンズＧ２はスチレン系樹脂よりなるレンズＧ２ａとアクリル系樹脂よりなるレンズＧ２ｂを接合した接合レンズよりなっている。
【００４０】
吸水率の低いスチレン系樹脂よりなるレンズＧ２ａを吸水率の高いアクリル系樹脂よりなるレンズＧ２ｂよりも中心厚を厚くすることで、経時変化によるファインダー光学系の光学性能の劣化を低減しつつ、ファインダー倍率の高倍率化を実現している。また、最もアイポイントＩＰ側をアクリル系樹脂よりなるレンズＧ２ｂで形成しているため、外観部品としての強度を十分に保っている。尚、第２レンズＧ２ａを３つ以上の樹脂材料よりなるレンズより構成しても良い。
【００４１】
以上、本発明の好ましい実施形態について説明したが、本発明はこれらの実施形態に限定されず、その要旨の範囲内で種々の変形及び変更が可能である。
【００４２】
次に各実施例に対応する数値実施例を示す。各数値実施例において、面番号は焦点板３からの順番を示す。ｒｉは焦点板３側より順に第ｉ番目の光学素子面の曲率半径、ｄｉは焦点板４側より順に第ｉ番目の光学素子厚及び空気間隔である。ｎｄｉとνｄｉは各々焦点板３側より順に第ｉ番目の光学素子の材料の屈折率とアッベ数である。
【００４３】
ｒ１は焦点板３のマット面（物体像が形成される面）３ａに相当する。ｒ２は接眼レンズ５の物体側に設けた設計上のダミー面である。数値実施例１乃至３においてｒ３〜ｒ９と数値実施例４においてｒ３〜ｒ１０、数値実施例５においてｒ３〜ｒ７は接眼レンズ５を構成する各レンズ面の曲率半径である。最終の面はアイポイントを示している。なお、各数値実施例において＊印は非球面を表しており、非球面形状は光軸方向にＸ軸、光軸と垂直方向にＹ軸、光の進行方向を正としＲを近軸曲率半径、Ｋ、Ａ４、Ａ６、Ａ８、Ａ１０としたとき、
【００４４】
【数１】
0005907612.tif 000002
【００４５】
によって定義されるものである。また、「ｅ−０Ｘ」の表示は「１０−Ｘ」を意味している。数値実施例においてアイポイントは接眼レンズの最終レンズ面からアイポイントまでの距離（アイレリーフ）を示している。また、前述の条件式と数値実施例における諸数値との関係を表１に示す。
【００４６】
［数値実施例１］
単位 mm
面データ
面番号       r        d      nd         νd
1          ∞      69.30                             
2          ∞       0.56                             
3      -1001.758    1.73   1.58306    30.2           
4*        28.991  (可変)                             
5*        17.588    5.50   1.52470    56.2           
6*       -26.872  (可変)                             
7*        32.352    9.00   1.57090    33.8           
8*        12.500    1.00   1.49171    57.4           
9*        12.500   18.70                             
10  (アイポイント)
非球面データ
第4面
K = 4.48789e+000  A 4=-4.44800e-005  A 6= 2.46811e-007  A 8=-3.81009e-009  A10= 6.51901e-012  
第5面
K = 1.62127e-001  A 4=-4.23052e-005  A 6= 3.57575e-007  A 8=-3.25228e-009  A10= 3.45322e-012  
第6面
K =-1.32438e+000  A 4= 1.09304e-005  A 6= 1.15404e-007  A 8=-2.20037e-010  A10=-4.73186e-012  
第7面
K =-2.41809e+001  A 4= 5.51729e-005  A 6=-9.36119e-007  A 8= 9.32374e-009  A10=-3.33107e-011  
第8面
K = 4.06428e-001  A 4=-1.24602e-004  A 6=-9.23245e-007  A 8= 2.78945e-008  A10=-2.89467e-010  
第9面
K = 4.06428e-001  A 4=-1.24602e-004  A 6=-9.23245e-007  A 8= 2.78945e-008  A10=-2.89467e-010  
各種データ
視度           −１      −３    ＋１
焦点距離      59.90    60.85    58.69  
アイポイント  18.70    18.70    18.70  
可変間隔       −１     −３     ＋１
d 4            1.81     0.44     3.47  
d 6            2.16     3.45     0.47  
【００４７】
［数値実施例２］
単位 mm
面データ
面番号       r        d      nd         νd
1          ∞      69.30                             
2          ∞       0.56                             
3      -1001.568    1.73   1.58306    30.2           
4*        29.127  (可変)                             
5*        17.639    5.50   1.52470    56.2           
6*       -26.806  (可変)                             
7*        31.898    9.00   1.58306    30.2           
8*        12.500    1.00   1.49171    57.4           
9*        12.500   18.70                             
10  (アイポイント)
非球面データ
第4面
K = 4.55671e+000  A 4=-4.39571e-005  A 6= 2.45415e-007  A 8=-3.81667e-009  A10= 6.47179e-012  
第5面
K = 1.85509e-001  A 4=-4.16754e-005  A 6= 3.54706e-007  A 8=-3.25787e-009  A10= 3.36024e-012  
第6面
K =-1.47199e+000  A 4= 9.98196e-006  A 6= 1.18620e-007  A 8=-2.30085e-010  A10=-4.78101e-012  
第7面
K =-2.33584e+001  A 4= 5.53951e-005  A 6=-9.39138e-007  A 8= 9.36912e-009  A10=-3.36195e-011  
第8面
K = 3.82770e-001  A 4=-1.23813e-004  A 6=-9.30213e-007  A 8= 2.89711e-008  A10=-2.98842e-010  
第9面
K = 3.82770e-001  A 4=-1.23813e-004  A 6=-9.30213e-007  A 8= 2.89711e-008  A10=-2.98842e-010  
各種データ
視度          −１     −３       ＋１
焦点距離      59.71    60.59    58.53  
アイポイント  18.70    18.70    18.70  
可変間隔       −１     −３     ＋１
d 4            1.81     0.44     3.47  
d 6            2.16     3.45     0.47  
【００４８】
［数値実施例３］
単位 mm
面データ
面番号       r        d      nd         νd
1          ∞      69.30                             
2          ∞       0.56                             
3       -989.318    1.73   1.58306    30.2           
4*        28.587  (可変)                             
5*        17.422    5.50   1.52470    56.2           
6*       -26.938  (可変)                             
7*        34.611    9.00   1.52470    56.2           
8*        12.500    1.00   1.49171    57.4           
9*        12.500   18.70                             
10  (アイポイント)
非球面データ
第4面
K = 4.36424e+000  A 4=-4.40489e-005  A 6= 2.07436e-007  A 8=-3.61883e-009  A10= 6.55971e-012  
第5面
K = 1.13930e-001  A 4=-4.14679e-005  A 6= 3.21259e-007  A 8=-3.24935e-009  A10= 4.63036e-012  
第6面
K =-1.75427e+000  A 4= 7.64947e-006  A 6= 1.10899e-007  A 8=-2.82219e-010  A10=-4.29459e-012  
第7面
K =-2.81253e+001  A 4= 4.84317e-005  A 6=-8.90632e-007  A 8= 9.44677e-009  A10=-3.56521e-011  
第8面
K = 9.84666e-002  A 4=-1.06692e-004  A 6=-6.61384e-007  A 8= 2.64803e-008  A10=-2.51819e-010  
第9面
K = 9.84666e-002  A 4=-1.06692e-004  A 6=-6.61384e-007  A 8= 2.64803e-008  A10=-2.51819e-010  
各種データ
視度          −１     −３       ＋１
焦点距離      60.33    61.50    59.02  
アイポイント  18.70    18.70    18.70  
可変間隔       −１     −３     ＋１
d 4            1.72     0.39     3.46  
d 6            2.28     3.48     0.47  
【００４９】
［数値実施例４］
単位 mm
面データ
面番号       r        d      nd         νd
1          ∞      69.30                             
2          ∞       0.56                             
3       -993.303    1.73   1.58306    30.2           
4*        32.764  (可変)                             
5*        18.960    5.50   1.52470    56.2           
6*       -30.115  (可変)                             
7*        28.341    1.00   1.49171    57.4           
8*        28.341    8.00   1.57090    33.8           
9*        12.500    1.00   1.49171    57.4           
10*        12.500   18.70                             
11  (アイポイント)
非球面データ
第4面
K =-2.34785e+001  A 4= 5.89174e-005  A 6=-4.87523e-007  A 8= 3.42804e-009  A10=-1.32130e-011  
第5面
K = 3.79092e-001  A 4=-4.26165e-005  A 6= 1.75238e-007  A 8=-4.05800e-009  A10= 2.33043e-011  
第6面
K = 1.78039e+000  A 4= 3.51228e-005  A 6=-2.56307e-008  A 8=-2.10183e-009  A10= 2.05158e-011  
第7面
K =-3.24761e+000  A 4=-5.21113e-006  A 6= 2.51342e-007  A 8=-3.20582e-009  A10= 1.71320e-011  
第8面
K =-3.24761e+000  A 4=-5.21113e-006  A 6= 2.51342e-007  A 8=-3.20582e-009  A10= 1.71320e-011  
第9面
K =-3.28686e+000  A 4= 1.01430e-004  A 6= 1.01729e-006  A 8=-3.43287e-008  A10= 2.95975e-010  
第10面
K =-3.28686e+000  A 4= 1.01430e-004  A 6= 1.01729e-006  A 8=-3.43287e-008  A10= 2.95975e-010  
各種データ
視度          −１     −３       ＋１
焦点距離      59.66    60.73    58.54  
アイポイント  19.70    19.70    19.70  
可変間隔       −１     −３     ＋１
d 4            1.73     0.32     3.51  
d 6            2.23     3.56     0.46  
【００５０】
［数値実施例５］
単位 mm
面データ
面番号       r        d      nd         νd
1          ∞      69.90                             
2          ∞     (可変)                             
3*       105.777    3.74   1.49171    57.4           
4        -65.790  (可変)                             
5*        15.734    9.00   1.57090    33.8           
6         12.500    1.00   1.49171    57.4           
7         12.500   18.00                             
8         (アイポイント)
非球面データ
第3面
K = 1.56581e+001  A 4= 1.79204e-006  A 6=-6.30549e-008  A 8= 4.42203e-010  A10=-9.28471e-013  
第5面
K =-2.33470e+000  A 4= 6.58237e-005  A 6= 2.50247e-008  A 8=-6.18204e-010  A10= 3.08283e-012  
各種データ
視度          −１    −１．７ ＋０．５
焦点距離       60.95    61.23     60.88  
アイポイント   18.00    18.00     18.00  
可変間隔       −１     −１．７ ＋０．５
d 2            3.27      0.50     8.84  
d 4            6.39      9.16     0.82  
以下に各実施例における条件式の数値を示す。
【００５１】
【表１】
0005907612.tif 000003
【符号の説明】
【００５２】
１：撮影レンズ      ２：クイックリターンミラー      ３：焦点板
４：ペンタダハミラー      ５：接眼レンズ
【図２】
0005907612.tif 000004
【図１】
0005907612.tif 000005
【図３】
0005907612.tif 000006
【図４】
0005907612.tif 000007
【図５】
0005907612.tif 000008
【図６】
0005907612.tif 000009
【図７】
0005907612.tif 000010
【図８】
0005907612.tif 000011
【図９】
0005907612.tif 000012
【図１０】
0005907612.tif 000013
【図１１】
0005907612.tif 000014